Podtech/llm-jp-corpus-v4-ja_patent huggingface dataset:
(57)【要約】【課題】銅管等のガス溶接器は燃焼に必要な酸素を高圧容器から取出していた高圧容器は危険である大気中の空気を圧縮し０．３Ｍｐａ圧力を上昇させれば空気中の酸素でアセチレンの燃焼を補助出来る【解決手段】燃焼ガスを安定さす為に火口に安定器を設けた【選択図】図１
2006057982.tif 000002
【特許請求の範囲】
【請求項１】
圧縮空気を使用するガス溶接器及び加熱器
【請求項２】
安定器
【発明の詳細な説明】
【技術分野】
【０００１】本発明は家庭及び産業用の簡易ガス溶接器と加熱器に関する。
【背景技術】
【０００２】従来の家庭及び産業用のガス溶接器にはアセチレンと酸素が使用されていた。
従って酸素の入っている酸素容器の重量が重く詰め替えに手間がかかり、しかも高圧容器であるため容器の定期検査やそれにかかる費用が必要となる。その上酸素は有料である。
【発明の開示】
【発明が解決しようとする課題】
【０００３】以上に述べた従来の家庭及び産業用のガス溶接器使用にかかる酸素の詰め替え手間、容器の定期検査及びそれにかかる費用を省くこと。
【課題を解決するための手段】
【０００４】そして本発明は上記目的を達成するため溶接器の火口に安定器を設け圧縮空気の使用を可能とする。【０００５】安定器は仕切用円柱板に丸穴を４個施し燃焼の安定を図る。【０００６】圧縮空気はエアーコンプレッサーを使用する。
【発明の効果】
【０００７】上述した本発明により重たい酸素容器は必要なくなる、そして空気は無限にあるので絶えることがない。しかも高圧容器でないので危険性がなく容器の重量を軽減できる。
【発明の実施するための最良の形態】
【０００８】ガス溶接器の火口内に仕切円柱板を設けガスの通る道に４個の穴を施す。
【図面の簡単な説明】
【０００９】
【図１】  本発明の実施形態をしめす断面図  Ａ′＝Ａ安定器（仕切円柱板）の表面図  Ａ″＝Ａ安定器（仕切円柱板）の断面図
【図２】  従来のガス溶接器の断面図
【符号の説明】
【００１０】
2006057982.tif 000003
図１  Ａ燃焼ガス安定器
Ｂエアーコンプレッサーによる圧縮空気
Ｃアセチレンガスバルブ
Ｄ混合ガス調整バルブ
図２  従来の溶接機、加熱器
Ｂ酸素
Ｃアセチレンガスバルブ
Ｄ混合ガス調整バルブ
【図１】
2006057982.tif 000004
【図２】
2006057982.tif 000005
(57)【要約】【課題】近年、猛暑によるクーラーの稼動による、クーラーの廃熱が外気温を上昇させる、ヒートアイランド現象の増大を益々加速させている。  ヒートアイランド現象を抑える、地球に優しい冷却装置が求められている。【解決手段】水の気化熱を活用し室内の温度を冷却するパネル。  窓枠にはめ込み取り付けが可能な、水の気化蒸発パネル両面に光触媒を塗布し、光触媒の特性の親水性を活用し、薄い膜を形成し、水の膜に振動を加え、水の気化を促する事を特徴とし簡単に取り付け取り外しが出来る冷却パネル。【選択図】  図３
2006057980.tif 000002
【特許請求の範囲】
【請求項１】
熱伝導率の高い水の気化蒸発冷却パネル両面に光触媒塗布し、水の気化蒸発冷却パネル内に振動装置を設け、パネル上部に水が滲み出る部材の微細織り布シート又は、微細多孔質部材等で出来た散水装置、下部に受水糟を設け、受水槽の水を、循環パイプを通すて上部散水装置に、水を巡回する、振動による水の気化熱を促し活用した冷却パネル。
【発明の詳細な説明】
【技術分野】
【０００１】  本発明は、水の気化熱よる冷風扇、冷却、冷房装置に関する。
【背景技術】
【０００２】  夏場の、室内温度を冷却する為にクーラー、水の気化熱を活用とした冷却装置に冷風扇等がある。【０００３】  近年、異常気象と言われ、季節の寒暖さが大きく、夏場の温度が高くなりこの為、クーラーの稼動が大きく、都市部では、クーラーの廃熱が、原因の一つと言われているヒートアイランド現象が増大している。【０００４】  異常気象と言われ、温度が上昇したぶんクーラーの稼動が大きくクーラーの廃熱も多くなり、イタチごっこの状態がつづき都市部の外気温度が、益々上昇し、今後、このヒートアイランド現象は、増大するものと思われます。【０００５】  夏場の、クーラーの稼動を抑えるために、色々取り組みが成されている。【０００５】  温度上昇を抑えるために、緑地面積を増やす等の試みも成されている。【０００６】  建物内の温度の上昇を抑えるために、建物の外壁に微細孔の有する部材を用い、この部材に水を含ませ水の気化熱を活用し室内を冷却する、試みも成されている。【０００７】  外壁に微細孔を設けた部材等は、最初のみ、それなりの機能が発揮されるが、時間を有すると、カビ、汚れが目に付く等の欠点があった。【０００８】  建物の外壁に常緑植物を植える等をし、直射日光を、回避するなども成されている。
【特許文献】特願２００１−２７７６５７
【特許文献】特開２００３−３２８４６２
【特許文献】特開平０８−０４２０１３
【発明の開示】
【発明が解決しようとする課題】
【０００９】  室内の温度の上昇を抑える、水の気化熱を活用する冷却装置の場合、水の気化する気化蒸発パネルの汚れの解消、気化パネルの建物への施工の容易さに問題が有り、解決しようとする問題点は、蒸発パネルの取り付け、取り外しが簡単で有り、水の気化熱を効率良く得る事に有る。
【課題を解決しようとする課題】
【００１０】  本発明の、気化蒸発パネルは、ガラス窓を取り外し、窓枠に取り付けが可能にする事、気化蒸発パネル両面に光り触媒を塗布し、光り触媒の特性で有る親水性を活用し、水の水滴化を阻止し水の膜を形成させ、水の膜に振動を加え水の気化の促進を促す事を主要な特徴としている。
【発明の効果】
【００１１】  本発明の、気化蒸発パネルは、既存のガラス窓に取り付け、取り外しが簡単に出来ている為、清掃及び取り扱いが容易に出来る利点がある。
【発明を実施するための最良の形態】
【００１２】  気化蒸発パネルは、熱伝導率の高い材質のアルミ、ステンレス、ガラス、銅板等を用、気化蒸発パネルに振動を加える事により、水の気化を促する事が出来、従来の自然の気化より水の気化時間が早く、室内の冷却温度が低くなる特徴が有る。
窓枠全体に冷却パネルを取り付ける為、大きな冷却面を得る事が出来、又構成部品が少なく安価で冷却装置が出来る。
【実施例１】
【００１３】  気化蒸発パネル両面に光触媒を塗布し上部散水装置から、散水された水を光触媒の特性である、親水性を活用し、気化蒸発パネル外部表面に水の膜を形成する。【００１４】  気化蒸発パネル面で水が蒸発する際、室内に面した、パネル内側に室内の空気が冷却され発生する水滴を、光触媒の親水性の特性で水滴を水の膜に変える。【００１５】  この、気化蒸発パネル両面に発生する水の膜に振動を加え、水の気化を促し冷気を得る。【００１６】  気化蒸発パネルは、熱伝導率の高い材質で振動に耐えられる材質であれば、どのような材質の部材を用いても良い。【００１７】  振動装置は、気化蒸発パネルの材質に応じて、より適した、振動周波数を決めれば良い。【００１８】  気化蒸発パネル材質が硬いガラス等の場合ですと、超音波振動が適している。【００１９】  アルミ材質の軟弱性気化蒸発パネルでは、低周波振動装置等が適している。【００２０】  上部散水装置は、下部受水糟から循環パイプから得られる水を貯水し、散水する機能を有す装置である。【００２１】  散水装置内の散水する部材は、微細孔の有する部材で水が徐々に滲み出る部材等とする。【００２２】  散水装置内の散水する部材は、微細織り等の繊維で、水が徐々に滲み出る部材等とする。【００２３】  散水装置に水が一時貯水される時、一部貯水水が気化し散水水が冷却される。【００２４】  冷却された、散水水が気化蒸発パネル面に散水される。【００２５】  受水糟内に循環ポンプを設け、受水槽内の水を、循環パイプを通し各上部散水装置内に水を送る。【００２６】  気化蒸発パネル内に太陽電池を設け、太陽電池に光触媒を塗布し、太陽電池の電気を、水を送る循環ポンプ、振動装置に接続し太陽電池で稼動する事により、二酸化炭素を発生させない、地球に優しい冷却装置が出来る。【００２７】  気化蒸発パネル上部と下部にガラス窓枠内に取り付け為の溝を設ける。
【産業上の利用可能性】
【００２８】  水の気化熱を活用する、気化蒸発パネルは、既存のガラス窓枠に取り付け可能で有る為、何方でも簡単に取り付けが出来る特徴が有る。【００２９】  雨水を貯水し雨水を活用する事でより自然にやさしい冷却装置が可能になる。
【図面の簡単な説明】
【００３０】
【図１】は、本発明の正面図
【図２】は、本発明の側面図
【図３】は、本発明の斜視図
【符号の説明】
【００３１】  １  気化蒸発パネル
２  振動装置
３  受水糟
４  散水装置
５  循環パイプ
【図１】
2006057980.tif 000003
【図２】
2006057980.tif 000004
【図３】
2006057980.tif 000005
(57)【要約】      （修正有） 【課題】  アルミニウム溶解炉に配設した集塵フードにおいて原料を入出させる手段の通過を邪魔せず、開口から粉塵の流出を低減する集塵フードを提供する。【解決手段】  アルミニウム溶解炉１のほぼ周囲を包囲しかつアルミニウム溶解炉に対して原料を搬入出させる原料搬入出手段が通過可能な開口３を有するフード本体４には、フード本体の上端に装着されてフード本体内の粉塵を集めかつ集塵機に連通接続された天井部５を有しており、その天井部の開口に上下回動により開閉可能な扉６を備える。【選択図】     図１
2006057913.tif 000002
【特許請求の範囲】
【請求項１】
アルミニウム溶解炉に配設した集塵フードにあって、
前記アルミニウム溶解炉のほぼ周囲を包囲しかつアルミニウム溶解炉に対して原料を搬入出させる原料搬入出手段が通過可能な開口を有するフード本体と、
このフード本体の上端に装着されてフード本体内の粉塵を集めかつ集塵機に連通接続された天井部と、
この天井部における前記開口との対向位置に上下回動可能に装着されて開口の上部部分を開閉可能な扉と、
を備えたことを特徴とするアルミニウム溶解炉用集塵フード。
【発明の詳細な説明】
【技術分野】
【０００１】
本発明は、アルミニウム溶解炉用集塵フードに関する。
【背景技術】
【０００２】
従来、アルミニウム溶解炉用集塵フードの一つとして、アルミニウム溶解炉のほぼ周囲を包囲しかつアルミニウム溶解炉に対して原料を搬入出させる原料搬入出手段が通過可能な開口を有するフード本体と、このフード本体の上端に装着されてフード本体内の粉塵を集めかつ集塵機に連通接続された天井部と、から成るものがある。
【０００３】
しかし、このように構成された従来のアルミニウム溶解炉用集塵フードでは、原料投入時に舞い上がった粉塵が開口から比較的多量流出する。
【発明の開示】
【発明が解決しようとする課題】
【０００４】
解決しようとする問題点は、集塵フードにおいて原料投入時に舞い上がった粉塵が開口から比較的多量流出する点である。  
【課題を解決するための手段】
【０００５】
上記の課題を解消するために本発明におけるアルミニウム溶解炉用集塵フードは、アルミニウム溶解炉に配設した集塵フードにあって、前記アルミニウム溶解炉のほぼ周囲を包囲しかつアルミニウム溶解炉に対して原料を搬入出させる原料搬入出手段が通過可能な開口を有するフード本体と、このフード本体の上端に装着されてフード本体内の粉塵を集めかつ集塵機に連通接続された天井部と、この天井部における前記開口との対向位置に上下回動可能に装着されて開口の上部部分を開閉可能な扉と、を備えたことを特徴とする。
【０００６】
このように構成したものは、通常は扉を下方へ回動させて開口の上部部分を閉じ、原料搬入出手段が原料をアルミニウム溶解炉へ投入する時だけ扉を上方へ回動させて開口の上部部分を開ける。
【発明の効果】
【０００７】
上記の説明から明らかなように本発明は、アルミニウム溶解炉に配設した集塵フードにあって、前記アルミニウム溶解炉のほぼ周囲を包囲しかつアルミニウム溶解炉に対して原料を搬入出させる原料搬入出手段が通過可能な開口を有するフード本体と、このフード本体の上端に装着されてフード本体内の粉塵を集めかつ集塵機に連通接続された天井部と、この天井部における前記開口との対向位置に上下回動可能に装着されて開口の上部部分を開閉可能な扉と、を備えたから、原料搬入出手段が原料をアルミニウム溶解炉へ投入する時だけ扉を上方へ回動させて開口の上部部分を開けることができるため、原料投入時に舞い上がった粉塵が開口から流出する量を可及的に少なくすることができるなどの優れた実用的効果を奏する。
【発明を実施するための最良の形態】
【０００８】
本発明を適用した集塵フードについて図１に基づき詳細に説明する。図示するように、本集塵フードは、アルミニウム溶解炉１のほぼ周囲を包囲しかつアルミニウム溶解炉１に対して原料を搬入出させる原料搬入出手段としてのフォークリフト２が通過可能な開口３を有するフード本体４と、このフード本体４の上端に装着されてフード本体４内の粉塵を集めかつ集塵機（図示せず）に連通接続された天井部５と、この天井部５における前記開口３との対向位置に上下回動可能に装着されて開口３の上部部分を開閉可能な扉６と、で構成してある。そして、扉６は、前記天井部５に枢支した図示しないシリンダの伸縮作動によって上下回動するようになっている。
【０００９】
このように構成したものは、通常はシリンダの収縮作動により扉６を上方へ回動させて開口３の上部部分を開き、フォークリフト２が原料をアルミニウム溶解炉１へ投入する時だけ扉６を上方へ回動させて開口３の上部部分を開ける。
【図面の簡単な説明】
【００１０】
【図１】本発明を適用した集塵フードの縦断面図である。
【符号の説明】
【００１１】
３  開口  
４  フード本体
５  天井部
６  扉
【図１】
2006057913.tif 000003
(57)【要約】【課題】自動車の停車時に、ブレーキペタルとアクセルペタルの踏み間違えによる事故が多くおきている。この事故を防止するための装置を提供する。【解決手段】本発明のスロットバルブと同じく新設の安全装置操作部をワイヤで連結してこの操作部を運転席で引くと新設のスロットバルブが水平状態から垂直状態になりエンジンへの空気を遮断する。したがって間違えてアクセルを踏んでも馬力がなく車は進まない。この時に新設のブレーキペタル（右端）を踏めば停車する。従来のアクセルペタルの両側にブレーキペタルがある。この様に今までに比べて安全に停車出来る装置である。二個のブレーキは連動する。【選択図】図８
2006057618.tif 000002
【特許請求の範囲】
【請求項１】
運転席の前にある本発明の安全装置操作部（６）を手前に引くと本発明のスロットバルブ（１ｂ）が水平状態から垂直状態になり空気の流入を断ち、ブレーキの誤作動による事故防止用の自動車の安全装置。
【請求項２】
従来からあるアクセルペタル右側に本発明のブレーキペタル（１２ｂ）を設けブレーキの誤作動による事故防止用の自動車の安全装置。
【発明の詳細な説明】
【技術分野】
【０００１】  本発明は自動車の停車時にブレーキとアクセルペタルの踏み間違い（誤作動）による事故防止ようの自動車の安全装置に関するものである。
【背景技術】
【０００２】  従来自動車を停車する時にブレーキとアクセルペタルを踏み間違えて、事故を起こしていた。急な時人はいろいろな誤作動をしている。車の場合取り返しがつかないのである。注意するしかなかった。
【発明の開示】
【発明が解決しようとする課題】
【０００３】  従来は安全装置といえる物がなかった。
このために事故の発生を招いていたのである。
本発明は以上の問題点を解決しようとするものである。
【課題を解決するための手段】
【０００４】  従来はクラッチペタルを踏みチエンジレバーを操作して、ブレーキペタルを踏むので時間がかかっていた。このため本発明は安全装置を設けた。この操作部を手前に引けばエンジンへの空気の遮断が行われて、仮にアクセルを踏んでも馬力不足で車は進まず、ブレーキペタルを踏めばよい。本発明は従来のアクセルの右にブレーキペタルを新設して従来の踏み間違いによる事故を防止するのである。即ちアクセルの両側にブレーキペタルがあるわけである。自動車のブレーキとアクセルペタルの誤作動による事故防止の安全装置である。
【発明の効果】
【０００５】    本発明は、新設の安全装置と新設のブレーキペタルによって、従来の事故を防止出来る。従来に比べて簡単である。
【発明を実施するための最良の形態】
【０００６】  以下、本発明の実施の形態を説明する。
（イ）空気清浄，量調節器（４）の内部にスロットバルブ（１ｂ）を設ける。［図１］
（ロ）安全装置固定部（５）と安全装置操作部（６）を設ける。［図３，４，５］
（ニ）スロットバルブ（１ｂ）はワイヤ（３ｂ）を通して安全装置操作部（６）につながるように設ける。［図７，８］
（ホ）新設のブレーキペタル（１２ｂ）は従来のブレーキペタル（１２ａ）と連動するように設ける。［図１０］
（ヘ）スロットバルブ（１ａ）はワイヤ（３ａ）を通してアクセルペタル（１１）につながる。［図７，８］
（ト）安全装置固定部（５）の内部は凹部、安全装置操作部（６）には凸部がある。この凸部はバネ式ボタン（７）で［図４，５］にある。これを設ける。    ボタンは操作部を操作の時固定する。
（チ）空気ろか器（Ａ）である。［図１］
（リ）バイパス通路（Ｂ）である。［図１］
（ヌ）スプリング（２）はスロットバルブ（１ａ，１ｂ）の回転を戻すためにある。［図２］
本発明は、以上の構成よりなっている。
本発明を使用するときは、まず運転席にある新設の安全装置操作部（６）を手前に引き、次に足元にあるペタルの右端に新設したブレーキペタル（１２ｂ）を踏むか従来からあるブレーキペタル（１２ａ）を踏めばよい。復旧するには安全装置操作部（６）を押せばよい。新設のブレーキペタル（１２ｂ）と前かからあるブレーキペタル（１２ａ）とは連動しているが、単独でもよい。
尚従来のクラッチペタル（１３）とチエンジレバー（１４）を使いブレーキペタル（１２ａ，ｂ）を踏んでもよいが時間がかかる。      従って本発明の安全装置操作部（６）を引き新設の右端のブレーキペタル（１２ｂ）を踏めば事故なく安全である。
【図面の簡単な説明】
【０００７】
【図１】本発明の要部を示す断面図
【図２】本発明の要部を示す内部透視斜視図
【図３】本発明の安全装置部の斜視図
【図４】本発明のバネ式ボタン部の斜視図
【図５】本発明の安全装置部の断面図
【図６】本発明の運転席部の斜視図
【図７】本発明の安全装置を操作しない時の作動図
【図８】本発明の安全装置を操作した時の作動図
【図９】本発明のブレーキペタルの作動図
【図１０】ブレーキペタルの斜視図
【符号の説明】
【０００８】  １ａ，１ｂ  スロットバルブ
２  スプリング
３ａ，３ｂ  ワイヤ
４  空気清浄，量調節器
５  安全装置固定部
６  安全装置操作部
７  バネ式ボタン
８  ハンドル
９  エンジンスイッチ
１０  方向指示器
１１  アクセルペタル
１２ａ，１２ｂ  ブレーキペタル
１３  クラッチペタル
１４  チエンジレバー
１５  ハンドブレーキ
Ａ  空気ろか器
Ｂ  バイパス
【図１】
2006057618.tif 000003
【図２】
2006057618.tif 000004
【図３】
2006057618.tif 000005
【図４】
2006057618.tif 000006
【図５】
2006057618.tif 000007
【図６】
2006057618.tif 000008
【図７】
2006057618.tif 000009
【図８】
2006057618.tif 000010
【図９】
2006057618.tif 000011
【図１０】
2006057618.tif 000012
(57)【要約】  ［課題］    ガソリンエンジンの熱効率は、２５〜３５％である。つまり、投じた熱エネルギーの６５〜７５％は全く無駄に捨てる以外にやりようがない。火力発電装置も原子力発電装置においても全く同様である。その排気熱を使用するとすれば、その熱の性質からして外燃機関でと言う以外にない。一般的な物は水を熱媒体とする蒸気タービンであり、一時注目されたのが「スターリングエンジン」である。スターリングエンジンの利用性は今置いておくとして、私は、アンモニア冷媒を使用する物を発明した。  ［解決手段］    ガス冷蔵庫の冷却装置の冷却サイクルを応用して、アンモニアの液化と気化とのサイクルを、エンジンにおいて、吸気・圧縮工程を液化工程として上死点で液化が完了しているようにし、爆発工程を気化工程とし、排気工程を排気工程として、熱エネルギーを回転力に変換しようとするを基本形とする、「ナガイエンジン」と呼ぶことにする、外燃アンモニアエンジン。［選択図］    なし。【特許請求の範囲】
【請求項１】
ガス冷蔵庫の冷却装置の冷却サイクルを応用した外燃熱媒体エンジンである。
その冷却サイクルは次のような物である。
（１）冷媒には「アンモニア溶液」を使用する。
（２）アンモニア溶液を加熱してアンモニアガスを発生する「ガスバーナー」
（３）アンモニアガスと水とを分離する「分離器」
（４）アンモニアガスを空冷液化する「凝縮器」
（５）アンモニア液が気化して周囲の熱を奪う「気化器」
（６）アンモニアガスを水に吸収させる「受液槽」
なお、アンモニアの気化量を一定にする為、気化器には水素が入れてある。
この冷却サイクルは、アンモニアガスの液化と気化のサイクルであるから、エンジンに応用するにおいては、一般エンジンの吸気・圧縮工程を液化工程として上死点で液化が完了しているようにし、爆発工程を気化工程とし、排気工程を排気工程とすれば、熱エネルギーを回転力に変換できないことはない。
上記の考察から発明される「外燃熱媒体エンジン」とは、
（１）冷媒には「アンモニア溶液」を使用する。
（２）加熱には「ガスバーナー」に代えてレシプロエンジンなどの「排気熱など」を使用する。
（３）「分離器」は同様とする。
（４）「凝縮器」に代えてエンジンの「吸気・圧縮工程」において空冷液化してその上死点において液化が完了しているようにする。
（５）「気化器」に代えてエンジンの「爆発工程」においてアンモニア液を気化させ完了させるようにする。
（６）エンジンの「排気工程」において排気されたアンモニアガスを「受液槽」において水に吸収させる。
以上のように構成されるを基本形とした、「ナガイエンジン」と呼ぶことにする、「外燃アンモニアエンジン」。
【発明の詳細な説明】
【９００００００００１】（公序良俗違反につき、不掲載）  熱機関には、それぞれに大体の熱効率が定まっている。熱効率とは、熱機関が熱エネルギーを運動エネルギーに変換する効率を言う。    発電用ガスタービン    ２０〜３０％    ガソリン機関          ２５〜３５％    ディーゼル機関        ３５〜４０％    （現代新百科辞典３、２１５頁）  これから判るように、内燃機関の熱効率は２０〜４０％の範囲にあり、機関内で発生した熱の６０〜８０％が排気されている。この捨てられる熱を有効に利用して動力などに使用したいと考えるのは誰しもであろう。  政府も省エネ策のーとして、天然ガスのコージェネレーションを奨励している。ビルとか家庭において、都市ガスで以て適当なガスエンジンを以て発電し排気熱で以て給湯などを行なおうと言うものである。  そのガスエンジンとしては、現在、私以外には、効率の良いガスレシプロエンジンを発明している人は無く、畢きょうガスエンジンとして確立されているタービンエンジンでと言うことであろう。ところが、これは、大変な熱効率で２０〜３０％しかない。７０〜８０％の熱を捨てなくてはならない。  したがって、コージェネレーションを模索する以外になかった。コジェネとは「一種類の熱源から複数のエネルギーを取り出すこと。特に発電の際に生じる熱エネを再度発電に使用すること（大辞林）」を言う。しかし、今日までガスタービンの排気熱を使用して発電をするとすれば、ターボチャージャーと同じようなターボ発電をする以外には払さえ考え付かなかった。  しかし、このターボたる物が本物に熱機関なのかどうか怪しいのである。  したがって、現在主張されているコジェネでは排気熱で以て給湯することにしている。  しかし、これも、効率的に湯に変換でき、貯湯できるものかどうか本格的な技術は確立されていない。  したがって、内燃機関では、どうしてもその排気熱で以て発電を行ないたいと言う当初の目的に返り、好ましい排気熱発電装置の発明が欲しくなる。  私は、先般「モータースーパーチャージャー（特願２００４−２１７９８６）」において、排気ターボで以て発電機を回すことを発明している。先にも触れたが、ターボ（羽根車）が排気によって回転する訳であるが、そこで消費するエネルギーは排気の流圧であるのか或いは排気の熱量であるのか明確にした人はいない。  熱エネルギーと言うのであれば、ターボに作用する時エンジンにおける爆発のような作用が無くてはならない。どうも、排気にはそう言う現象は見られない。すなわち、風が風車を回すのと同じ現象のように思える。例えば、ガソリンエンジンにおける６５〜７５％もの運動エネルギーに変換されなかった熱をターボは利用することが出来ないのであれば即ち２５〜３５％の変換エネルギーに属するものであれば、この方法では無く、何か排気熱を利用するこれはと言う方法を発明しなくてはならないことにあった。  エンジンは銃砲における爆発（発熱を伴う急激な科学反応、気体や液体の急激な膨張や相変化、あるいは核反応の結果、急激に増大した圧力が瞬時に解放される現象）を連続的に行なわせて回転力に変換することを考えた物だと言われている。  排気熱の利用によって、爆発機関を創りたいのであるが、どう考えても所詮は無理で��るので、払は、ガス冷蔵庫における冷却原理を応用すれば、加熱作用だけで以て作動する熱機関が出来るのではないかと思いついた。  そこで、発明したのが「特許請求の範囲」における「気体や液体の急激な膨張」を利用する「外燃熱媒体エンジン」である。  実験を全くしていないので、物になるかどうかは今は言えないが、エンジンの定義「種々のエネルギーを機械的力または運動に変換する機械または装置」には適っているので、真剣に取り組める大発明と言えるのではあるまいか。  しかし、これを内燃機関の排気に適応させる場合には、排気の流圧をも利用していると言う物ではない。私の発明の「水素と酸素（あるいは空気）の圧入コントロール式」燃料電池の排気水蒸気には流圧は内燃機関ほどには無いので、特に有利であろう。  私の本「ｈｅａｔ  ｖｅｈｉｃｌｅ  ｅｎｇｉｎｅ」を付設しても尚かつ流圧がある場合には私の「ターボ発電機＝ｔｕｒｂｏｇｅｎｅｒａｔｏｒ」も添えて付設しようと考えている。  本発明が高い実用性を以て開発できたならば、自動車や飛行機や船舶などの内燃機関には勿論火力発電や原子力発電などの外燃機関やゴミ焼却炉や溶鉱炉などの炉や各種自家用炉などの排熱を最も有効に利用しうる「熱エネルギー機関」となるに違いない。（公序良俗違反につき、不掲載）
(57)【要約】【課題】従来は、ファイルに綴じ直しをする時にステープラーの針を付けたままファイルしていたので、針の嵩張りがあった。また、書類を処分する時に針と紙を分けていたので処理に時間がかかっていた。【解決手段】本発明は、鳩目クリップを取付ける事でA４等の書類をファイル化して、会議等に資料提供することができる。また、ファイルに綴じ直すときに鳩目クリップを取り外してそのまま綴ることができるので、ステープラーの針による嵩張りはない。さらに、書類を処分する時に針と紙を分ける必要もない。それを図面で説明すれば、図２―１鳩目凹軸部に図３―３使用箇所部にはめ込み、図１―２鳩目凸個軸部で挟む。【選択図】図２
2006231662.tif 000002
【特許請求の範囲】
【請求項１】
鳩目にはめ込んで挟むことで、一時的にファイルできるようにした綴じ具
【発明の詳細な説明】
【技術分野】
【０００１】
本発明は、鳩目クリップを取付ける事でA４等の書類をファイル化して、会議等に資料提供することができる。また、本発明は、ファイルに綴じ直すときにステープラーの針により嵩張らないようにすることを前提にしているので、鳩目クリップを取り外してそのまま綴ることができる。
【背景技術】
【０００２】
従来は、このような鳩目を使用して一時的にファイルするものはなかった。
【０００３】
しかし、本発明は、鳩目を使用して一時的にファイルすることを可能した。また、ファイルに綴じ直しをする時にステープラーの針を付けたまま綴じることがないので嵩張りもない。さらに、書類を処分する時に針と紙を分ける必要もない。
【特許文献１】特開２００５−００００００号公報
【非特許文献１】著  特許出版  ２００５年
【発明の開示】
【発明が解決しようとする課題】
【０００４】
従来は、ファイルに綴じ直しをする時にステープラーの針を付けたままファイルしていたので、針の嵩張りがあった。また、書類を処分する時に針と紙を分けていたので処理に時間がかかっていた。この課題を解消するためになされたものである。
【課題を解決するための手段】
【０００５】
本発明は、鳩目を使用して一時的にファイルすることで、綴り直しする時にそのままファイルすることを可能にした。それを図面で説明すれば、図２―１鳩目凹軸部に図３―３使用箇所部にはめ込み、図１―２鳩目凸個軸部で挟む。
【発明の効果】
【０００６】
このようにすれば、ファイルに綴じ直しをする時にステープラーの針を付けたまま綴じることがないので嵩張りもない。さらに、書類を処分する時に針と紙を分ける必要もない。
【発明を実施するための最良の形態】
【０００７】
本発明は、鳩目クリップを取付ける事でA４等の書類をファイル化して、会議等に資料提供することができる。また、本発明はファイルに綴じ直すときにステープラーの針により嵩張らないようにすることを前提にしているので、鳩目クリップを取り外してそのまま綴ることができる形態になっている。
【産業上の利用可能性】
【０００８】
簡易なものを作製して使用してみた結果、便利であったので産業上の利用可能性は高いと考えている。
【図面の簡単な説明】
【０００９】
【図１】側面図
【図２】正面図
【図３】使用箇所図
【符号の説明】
【００１０】
１    鳩目凹軸部
２    鳩目凸軸部
３    鳩目使用箇所部
【図１】
2006231662.tif 000003
【図２】
2006231662.tif 000004
【図３】
2006231662.tif 000005
(57)【要約】【課題】夜間暗い部屋の中・屋外で杖のある場所を探すのは困難なために、合成樹脂の杖の握り部に長時間光る蓄光又は残光塗料を塗布又は混錬し、又杖本体の下部に蓄光又は残光塗料を塗布し杖を容易に暗闇の中でも探せる、又、杖の握り部を図のように手で握りやすい形状にした杖を提供する。【解決手段】杖の握り部を硬質合成樹脂で成形し、その外周に軟質合成樹脂で覆い、杖を倒した時の音を吸収し、同時に握り部を手で握りやすい形状にした、杖本体は、木材、金属管、アルミ合金パイプで製作し、握り部、杖本体に蓄光又は残光塗料を塗布又は混錬して、夜暗い場所で容易に杖を探せるようにした事を特徴とする。【選択図】図１
2006231010.tif 000002
【特許請求の範囲】
【請求項１】
杖本体の握り部の硬質合成樹脂材を軟質合成樹脂で覆いその軟質合成樹脂材に市販の長時間光る蓄光又は残光塗料を混練又は塗布してなる蓄光安全杖。
【請求項２】
杖本体の握り部の下部、木材，金属管、アルミ合金のパイプ等に市販の長時間光る蓄光又は残光塗料を塗布してなる請求項１記載の蓄光安全杖。
【請求項３】
杖本体の握り部は手の各指の形状にして、握りやすく、外れにくい形状に成形機で成形してなる請求項１〜２記載の蓄光安全杖。
【請求項４】
杖本体の握り部は図３〜６以外のあらゆる形状でも可能な請求項１〜３記載の蓄光安全杖。
【発明の詳細な説明】
【技術分野】
【０００１】  本発明は、杖の握り部、又は杖本体が蓄光又は残光塗料で夜中に長時間光る安全歩行補助具である蓄光安全杖に関するものである。
【背景技術】
【０００２】  従来、夜間暗い部屋の中・屋外を歩くには光る杖、照明付き杖などが利用されている、それらは乾電池、電球、懐中電灯等の光源が必要であり、無ければ歩行は困難であり、危険である、特に夜間暗い部屋・屋外の暗い場所において、杖の置き場所を探すのには、目の自由者でない人でも不便を感じている人は多く、探すのは困難である。光る杖、照明付き杖に関するものでは、特開２００２−２６２９１３、特開２００３−１０２５２６等があるが、電源を使用しないで長時間光る杖は、現時点でも使用されていない。
【発明の開示】
【発明が解決しようとする課題】
【０００３】  それには次のような問題点があった。
（イ）杖を必要とする高齢者、身体の不自由な人が夜中の暗い部屋では、杖を見つけるのが困難であり動けば物にぶつかり危険である。
（ロ）乾電池等が無いと暗い部屋では杖を見つけることが出来ない。
（ハ）夜、屋外，暗い部屋で電源等が無くても光る杖は無かった。
（ニ）長時間光を出す杖は無い。
（ホ）高齢化社会が進行する中で、介護用杖の必要性はいままで以上になり、夜中の暗い場所で光る杖が安全のために必要性がより求められる。
本発明は、以上の問題点を解決するたのものである。
【課題を解決するための手段】
【０００４】  歩行者用杖本体（１）の上部に握り部（２）を設け、その握り部（２）は図３〜６に示すような握りやすい形状にする。その形状の握り部（２）は硬質合成樹脂性で、その外側に軟質合成樹脂で覆っている。軟質合成樹脂製の握り部は杖を倒しても、衝撃時の音が吸収されるためである。杖本体の握り部の下部は木材、金属管、アルミ合金（３）等で製作されて握り部（１）と合体し杖本体（１）を構成する。
握り部（２）の軟質合成樹脂に昼間明るい場所に置くだけで、暗くなると長時間光る、市販されている蓄光又は残光塗料を塗布又は混練して設ける。杖本体（１）の下部、木材、金属管、アルミ合金（３）等は蓄光又は残光塗料を塗布する。  以上を特徴とする蓄光安全杖。
【発明の効果】
【０００５】本発明は、杖の必要な高齢者、身体の不自由な人が歩行するとき、暗闇の屋外、暗闇の部屋の中では杖本体が長時間、蓄光又は残光塗料により光り、杖の場所がすぐわかる。歩行のときは、暗闇の場合でも杖の存在がわかり、事故を防止出来る。又、杖の握り部の形状が図３〜６のような形状のため、手で握りやすく、手の指に合った形状、又は杖の握り部の形状はどんな形状も可能な蓄光安全杖で極めて高い効果がある。
【発明の実施するための形態】
【０００６】  以下、本発明の実施の形態を説明する。
（イ）杖本体（１）の上部に握り部（２）を設ける。
（ロ）握り部（２）は硬質合成樹脂の材料で成形され、その周りに軟質の合成樹脂で覆い、床に落とした時の衝撃音を吸収する構造にする。
（ハ）握り部（２）は持ちやすく、握りやすい形状に成形する。
（ニ）杖本体（１）の下部は暗い場所で長時間光る蓄光又は残光塗料を塗布する。
（ホ）握り部（２）は合成樹脂に蓄光又は残光塗料を塗布又は混ぜて成形する。
本発明は、以上の構成よりなっている。
【図面の簡単な説明】
【０００７】
【図１】本発明の正面図である。
【図２】本発明の側面図である。
【図３】本発明の握り部の正面図である。
【図４】本発明の握り部の平面図である。
【図５】本発明の握り部の右側面図である。
【図６】本発明の握り部の左側面図である。
【符号の説明】
【０００８】１  杖本体
２  握り部
３  本体下部、木材，金属管，合成樹脂
【図１】
2006231010.tif 000003
【図２】
2006231010.tif 000004
【図３】
2006231010.tif 000005
【図４】
2006231010.tif 000006
【図５】
2006231010.tif 000007
【図６】
2006231010.tif 000008
(57)【要約】【課題】  鉄アレイを用いて筋力トレーニングをするにあたって、ゴルフに必要な筋力をつけることのできる鉄アレイを提供する。【解決手段】  鉄アレイ本体（１）の片側（２）にのみ重りをつけたことを特徴とする。【選択図】  図１
2006231009.tif 000002
【特許請求の範囲】
【請求項１】
鉄アレイ本体（１）の片側（２）に重りがあり、その反対側のグリップエンド（３）には重りをなくしてある片側重りのゴルフ練習用鉄アレイ。
【発明の詳細な説明】
【発明の詳細な説明】
【技術分野】
【０００１】この発明は、手首・腕を強化するための、ゴルフ練習用鉄アレイに関するものである。
【背景技術】
【０００２】従来は、鉄アレイにおいて筋力強化をするにあたっては、両側に重りがあり、筋力強化を図っていた。
【発明が解決しようとする問題】
【０００３】これには、次のような欠点があった。
（イ）両側に重りがあるためにゴルフクラブのイメージがわかない。
（ロ）ゴルフに必要な腕及びリストの筋力強化に不向きである
（ハ）ゴルフクラブを持つように持てない
本発明は、これらの欠点を除くためになされたものである。
【課題を解決するための手段】
【０００４】鉄アレイ本体（１）の片側（２）に重りをつける。
そして、もう片側のグリップエンド（３）には重りをつけない。
本発明は、以上のような構成からなる、片側重りのゴルフ練習用鉄アレイである。
【本発明の実施の形態】
【０００５】以下、本発明の実施の形態について説明する。
（イ）鉄アレイ本体（１）の片側（２）に重りをつけ、もう片側のグリップエンド（３）      には重りをつけない。
本発明は以上のような構造で、これを使用するときは、重りのついているほうを親指側にして、左手・もしくは右手などの片方の手でゴルフクラブを持つように握り、手首が曲がらないようにしっかりと握る。
【発明の効果】
【０００６】このように、ゴルフクラブを持つように片方の手でしっかりと握り、手首が曲がらないように持つことにより、ゴルフスイングに必要な腕の筋力強化及びリストの強化を図ることができる。
【図面の簡単な説明】
【図１】  本発明の側面図である。
【図２】  本発明の立体図である。
【図３】  本発明の使用状態を示す立体図である。
【記号の説明】
１    鉄アレイ本体
２    重り
３    グリップエンド
【図１】
2006231009.tif 000003
【図２】
2006231009.tif 000004
【図３】
2006231009.tif 000005
(57)【要約】【課題】化粧品等容器の形状は、化粧品等を使うにつれてどうしても、まわりが残ってしまい、最後まで使い切ることが、困難である。【解決手段】底部に丸みのある角を設ける。底部に丸みのある角を設けることで、容易に化粧品等を使い切ることができる。【選択図】図１
2006231002.tif 000002
【特許請求の範囲】
【請求項１】
化粧品等容器の底部に、丸みのある角を設けたことを特徴とする化粧品等の容器。
【発明の詳細な説明】
【技術分野】
【０００１】  この発明は、化粧品等容器に関する。
【背景技術】
【０００２】  従来の化粧品等容器の形状は、図４に示すように、化粧品等容器底部に角がある。
【発明の開示】
【発明が解決しようとする問題】
【０００３】  しかしながら、以上の技術によれば、化粧品等を最後まで使い切ることが、困難である。
そこで、この発明は、化粧品等が最後まで容易に使い切ることを提供することを課題とする。
【課題を解決するための手段】
【０００４】  以上の課題を解決するために、この発明は、化粧品等容器の底部に丸みのある角を設けたことを特徴とする化粧品等容器である。
【発明の効果】
【０００５】  この発明によれば、化粧品等容器の底部に丸みのある角を設けたので、最後まで化粧品等を容易に使い切ることができる。
【発明を実施するための最良の形態】
【０００６】  この発明の一実施形態を、図１に示す。
化粧品等容器１の底部に丸みのある角２を設けている。
【実施形態の効果】
【０００７】  この実施形態によれば、丸みのある角２の働きで、化粧品等容器１を使い易くさせる。
したがって、化粧品等を最後まで使い切ることができる。
【図面の簡単な説明】
【０００８】
【図１】この発明の一実施形態を示す断面図である。
【図２】この発明の一実施形態を示す平面図である。
【図３】従来技術を示す平面図である。
【図４】従来技術を示す断面図である。
【符号の説明】
【０００９】１  化粧品等容器              ２  丸みのある角
【図１】
2006231002.tif 000003
【図２】
2006231002.tif 000004
【図３】
2006231002.tif 000005
【図４】
2006231002.tif 000006
(57)【要約】      （修正有）【課題】  一日の疲れをとり、元気でリフレッシュできるように土踏まずを刺激、マッサージ、指圧効果のあり、簡単にしかも長時間はけるスリッパを提供する。【解決手段】  スリッパの土踏まずの位置に左右出し入れ口を作り、人それぞれの好み、その日の気分で刺激を選べるように素材のちがう４種類の小袋を作った。イ．竹を半分に切った物（自然な気持よさを感じる。）  ロ．竹にゴム製の球を埋めこんだ物（適当にほどよい刺激を与えてくれる。）  ハ．ビニールシートをきつく巻いた物（やさしい刺激でいやされる。）  ニ．発包スチロール大きさ違う球を詰めこんだ物（足裏のつぼをいろいろな角度から刺激してくれる。）【選択図】図２
2006231018.tif 000002
【特許請求の範囲】
【請求項１】
ストレスの多い時代少しでも疲れをとり、毎日元気にリフレッシュできるものはないかと考えスリッパにとり入れた。胃腸、内臓、脳の働きにも、足裏や土踏まずを刺激すると良いときき簡単にしかも長時間使用できるようにと考えた。
【請求項２】
スリッパの土踏まずの位置に左右出し入れしやすいように長方形の空洞を作り、好みの刺激を選べるように小袋（４種類）を作った。
【請求項３】
小袋の種類
小袋イ．竹を半分に切った物
自然な気持よさ
小袋ロ．竹にゴム製の球を埋めこんだ物
適当にほどよい刺激
小袋ハ．ビニールシートをきつく巻いた物
やさしい刺激
小袋ニ．発包スチロール大きさの違う球を詰めこんだ物
いろいろな角度から刺激
【発明の詳細な説明】
【技術分野】
【０００１】  ストレスの多い時代、早く疲れをとり、元気でリフレッシュできるようなスリッパを発明した。
スリッパの土踏まずの位置に左右出し入れしやすいように、筒状の空洞を作り、マッサージ、指圧効果のある小袋を作って入れる。
人それぞれの好みの刺激を選べるように、小袋の中味の材質をかえて作る。
小袋の種類  イ．竹
ロ．竹にゴム製の球を埋めた物
ハ．ビニールシートをきつく巻いた物
ニ．はっぽうスチロールの大きさの違う球を詰めた物
〔背景技術〕【０００２】  従来はスリッパのかかとをカットしたもの等はあったが土踏まずを人それぞれの好みで刺激を選んで疲れをとりやすくする、スリッパはなかった。
〔特許文献〕【０００３】  わかりません。
〔発明の開示〕
〔発明が解決しょうとする課題〕【０００４】  土踏まずを簡単に、好みの刺激で指圧するスリッパはないかと考え本発明は課題を解消するものです。
〔課題を解決するための手段〕【０００５】  生活の中で簡単に効果を上げれるようスリッパに応用した。スリッパの土踏ますの位置に出し入れしやすいように空洞を作り、好みにあった刺激を選べるように、小袋の中味をかえた物を作った
小袋の種類  イ．竹
ロ．竹にゴム製の球を埋めた物
ハ．ビニールシートをきつく巻いた物
ニ．はっぽうスチロールの大きさの違う球を詰めた物
〔発明の効果〕【０００６】  簡単に生活の中で自然にはくだけで効果がでる。足のかたちは十人十色、又刺激も好みも人それぞれで中味の材質をかえた小袋なので、その日の気分、体の調子にあわせて選べるから長時間使用できる。
土踏まずを刺激するので胃腸や大脳の働きに良く、疲れが取れやすい。
【図面の簡単な説明】
【０００８】〔図１〕本発明上からの図
〔図２〕本発明断面図
〔図３〕小袋の種類
【符号の説明】
【０００９】  １．スリッパ本体
２．小袋入れ位置
３．小袋―――小袋イ．小袋ロ．小袋ハ．小袋ハ．
【図１】
2006231018.tif 000003
【図２】
2006231018.tif 000004
【図３】
2006231018.tif 000005
(57)【要約】【課題】従来の湯あか、毛髪等の除去装置は、邪魔になり、外観も悪いという問題があった。これは復雑で、常時浴槽内にある為である。【解決手段】お湯にうかべて、すべり止めの付いた持手を下にさげるだけで容器の切欠き部から湯あか、毛髪等が容器にはいるように構成した。これにより誰でも簡単に使用出来、使用しない時は、そのまま浮かべておいても全く邪魔にならず、浴槽の外で小物等入にもなり、美観も良い湯あか、毛髪等除去具が提供出来る。【選択図】図２
2006231016.tif 000002
【特許請求の範囲】
【請求項１】
お湯が容器に一気に大量にはいらず、湯あか毛髪等が主に入るように切欠きを設けた湯あか、毛髪等除去具。
【請求項２】
持手を引張っても手がすべらないように、すべり止めを有した持手付湯あか、毛髪等除去具。
【請求項３】
容器の色を白にして湯あか、毛髪等が容器に入っているのが鮮明に分かる湯あか、毛髪等除去具。
【請求項４】
お湯に浮かべた時、容器が、傾かないように持手を空洞にした湯あか、毛髪等除去具。
【発明の詳細な説明】
【技術分野】
【０００１】本発明は浴槽内の湯あか、毛髪等の除去に関する。
【背景技術】
【０００２】従来の湯あか、毛髪等除去具は風呂栓を利用したものがある。
（例えば特許文献１参照。）。【０００３】
【特許文献１】実用新案出願平５−３８９８８
【発明の開示】
【発明が解決しようとする課題】
【０００４】以上に述べた除去具は、浴槽がせまく邪魔になり、美観がそこなわれる。【０００５】本発明はこのような従来の構成が有していた問題を解決しようとするものであり、湯あか、毛髪等の除去を簡単に、又美観をそこなわない事を目的とするものである。
【課題を解決するための手段】
【０００６】そして本発明は、上記目的を達成する為に、湯あか、毛髪等が入る容器の上部を切欠きし、一度に大量に入らないようにし、持手を付け、又すべらないようにし、お湯にうかべて下にゆっくり引張るようにした除去具である。
【発明の効果】
【０００７】邪魔にならず、誰でも簡単に使用出来、見た目も良く、小物等も入れる事が出来る湯あか、毛髪等除去具を提供出来る。
【発明の実施するための最良の形態】
【０００８】以下本発明の実施の形態を図１〜図２に基づいて説明する。
【０００９】１は、上部に切欠きを設けた湯あか、毛髪等をいれる容器である。
【００１０】２は、下にすべり止を有した持手である。
【００１１】以下上記構成の動作を説明する。お湯にうかべて、２の持手を片手で握り、容器１の切欠きの下の所まで沈める。次に、切欠きを少し沈める。
【実施例】
【００１２】容器を沈めることにより、容器の上部から、湯あか、毛髪等がはいる。又切欠きがある為大量にはいらず、湯あか、毛髪等を主に簡単にいれる事が出来る。
又、すべり止めがあるので、すべらず、容器が白色なので、湯あか、毛髪等がはいったのが確認出来る。いっぱいになったら、浴槽の外に流す。
使用しない時は、浴槽の外で、小物等入れに利用出来る。
【図面の簡単な説明】
【００１３】
【図１】本発明の外観図
【図２】本発明の実施形態を示す外観図
【符号の説明】
【００１４】１  切欠き付容器
２  すべり止め付持手
３  お湯
４  浴槽
【図１】
2006231016.tif 000003
【図２】
2006231016.tif 000004
(57)【要約】      （修正有）【課題】健康のためアキレス腱・脚の筋伸ばしが今までは定位置で本を重ねたりしてかできなかったが動きながらにして、自然に生活の中で効果があげれるようなスリッパを提供する。【解決手段】スリッパの前底の部分・厚芯とりつけ位置３に弾力ある厚芯２を底敷とした。【選択図】図２
2006231019.tif 000002
【特許請求の範囲】
【請求項１】
近年、健康には特に気をつけてる方が多く簡単にアキレス腱・脚の筋ストレッチができるようにスリッパにとり入れたものです。スリッパの前底の部分に軽い素材、吸収性のよい厚芯を入れて高くし、室内で歩きながらにしてアキレス腱を伸ばし姿勢よく、元気で毎日が送れるよう発明したものである。
【発明の詳細な説明】
【技術分野】
【０００１】発明は、毎日の生活の中で、アキレス腱・脚の筋を伸ばし無理なくストレッチできるよう、スリッパの前底の部分に弾力ある厚芯を入れ自然に効果の上がるよう考えたものです。〔背景技術〕【０００２】従来はスリッパのかがとの部分を高くしたり、カットしたり、したものはあったが、アキレス腱を伸ばすのに役立つスリッパはない。〔特許文献〕【０００３】わかりません。〔発明の開示〕〔発明が解決しょうとする課題〕【０００４】従来はつま先の方に本を置いて高くし、その場でのアキレス腱伸ばしかできなかったが、スリッパに取り入れることで自然に無理なく動きながら本発明はでき課題を解消するものです。〔課題を解決するための手段〕【０００５】スリッパの厚芯とりつけ位置３に弾力のある厚芯２を２〜３センチの高さに入れ（軽い芯にする）動きながら自然にアキレス腱・脚の筋を伸ばし姿勢もよくなり、血の循環も良くなるようにした。冬は暖かく、夏は涼しい素材にするとよい。〔発明の効果〕【０００６】今まで定位置でしかできなかったが、スリッパに応用したことで、アキレス腱・脚の筋伸ばしが毎日の生活の中で、はくだけで効果があがるようになった。（イ）スリッパの前底に厚芯を入れることで身軽く動きまわれ、アキレス腱を伸ばすことで、血液の循環がよくなり健康な毎日が送れる。（ロ）季節に応じて素材、色等かえると生活も楽しく、元気に意欲がわいてくる。（ハ）近年特にシニア時代にはストレッチ体操が良いと言われアキレス腱伸ばしは運動の中の１つとして取り入れられている。
【図面の簡単な説明】
【０００８】
【図１】本発明の上からの図
【図２】本発明断面図
【符号の説明】
【０００９】  １  スリッパ本体  ２  厚芯  ３  厚芯のとりつけ位置
【図１】
2006231019.tif 000003
【図２】
2006231019.tif 000004
(57)【要約】【課題】料理包丁の使用後は安全を考え、折りたたんで刃をカバーして保管が出来る、折りたたみ包丁を提供する。【解決手段】包丁の柄を二重構造に設け、外側の柄は包丁を折りたたむ時に、スライドさせて柄の全長を長く伸ばし、包丁の刃先が柄の中に納まることを特徴とする、折りたたみ包丁。【選択図】図１
2006231017.tif 000002
【特許請求の範囲】
【請求項１】
包丁を折りたためるように、折り込み溝のある柄を二重に設け、外側の柄はスライドして長く伸び包丁刃先の全長が二重構造の柄に納まることが特徴の折りたたみ包丁。
【発明の詳細な説明】
【技術分野】
【０００１】  本発明は、料理包丁の使用後は安全を考えて、折りたたんで保管が出来る折りたたみ包丁に関するものである。
【背景技術】
【０００２】  従来も今も、包丁は危険であり、家庭のキッチンでも使用後の保管に気をつかう刃物である。登山、キャンプ、アウトドアライフでの料理包丁にも安全のために折りたたみの出来る包丁がなく、折りたたみナイフで代用していた。
【発明の開示】
【発明が解決しようとする課題】
【０００３】  そのため、次のような問題点があった。
目にふれる場所に剥き出しである包丁は危険であり、恐怖心もあって、流し台の中に仕舞い込んでいた。
野外に出かけて料理を楽しむために持ち歩く時の包丁も、安全のためのカバーをする折りたためる包丁がなく、布などで巻きつけて持ち出し安全に気をつかっていた。
【課題を解決するための手段】
【０００４】  包丁の柄を二重構造に設け、外側の柄は包丁を折りたたむ時に、スライドさせて柄の全長を長く伸ばし、包丁の刃先が柄の中に納められる。
以上を特徴とする、折りたたみ包丁である。
【発明の効果】
【０００５】  本発明は、便利だが危険な刃物である料理包丁を、不使用の時は包丁の柄の中に折り曲げ納められ、剥き出しでないので安心安全である。
【発明を実施するための最良の形態】
【０００６】    以下、本発明の実施の形態を説明する。
（イ）  包丁刃（１）の柄の部分に穴１（９）を設け、包丁直結柄（３−２）に、補助金具（２）と皿ビスボルト（７）ナット（６）で組み合わす。
（ロ）  包丁直結柄（３−２）に柄スライドカバー（３−１）をストッパービス（５）で組み合わす。
（ハ）  柄スライドカバー（３−１）の一方の側面に、スライド溝（４）を設ける。
（ニ）  包丁直結柄（３−２）と柄スライドカバー（３−１）は共に包丁刃（１）が折り込める、折り込み溝（１２）を設ける。
（ホ）  柄スライドカバー（３−１）の折り込み溝（１２）の後部に、包丁刃（１）の折りたたみ止め（８）が合うように設ける。
本発明は、以上の構成よりなっている。
本発明を、使用する時は、折りたたみ止め（８）の掛かり止めをはずし、包丁刃（１）を引き出し曲げ戻し、包丁直結柄（３−２）の先にある補助金具（２）の溝に合わせ、柄スライドカバー（３−１）は包丁直結柄（３−２）に押し戻す。
ストッパービス（５）をプラスドライバーで取りはずせば、柄スライドカバー（３−１）は抜けて内側の掃除をすることも出来る。
包丁刃（１）は研ぎ直して使用出来る、皿ビスボルト（７）をはずして包丁刃（１）を取り替えることも可能である。
【図面の簡単な説明】
【０００７】
【図１】  本発明の、斜視図
【図２】  本発明の、斜視図の反対側の側面図
【図３】  本発明の、平面図
【図４】  本発明の、平面の反対を示す底面図
【図５】  本発明の、柄をスライドした姿を示す姿図
【図６】  本発明の、折りたたみ状態を示す姿図
【図７】  本発明の  分離分解図
【図８】  本発明の  柄の後方から見た拡大断面図
【符号の説明】
【０００８】１      包丁刃
２      補助金具
３−１  柄スライドカバー
３−２  包丁直結柄
４      スライド溝
５      ストッパービス
６      ナット
７      皿ビスボルト
８      折りたたみ止め
９      穴１
１０    穴２
１１    ビス受けネジ穴
１２    折り込み溝
【図１】
2006231017.tif 000003
【図２】
2006231017.tif 000004
【図３】
2006231017.tif 000005
【図４】
2006231017.tif 000006
【図５】
2006231017.tif 000007
【図６】
2006231017.tif 000008
【図７】
2006231017.tif 000009
【図８】
2006231017.tif 000010